(57)【要約】【課題】煩雑な操作の入力が不要で、複数の利用者の各利用者に応じた指示内容で対象機器を動作させる指示装置、及び指示システムを提供する。【解決手段】指示装置は、指示信号に基づいて動作する対象機器へ前記指示信号を出力する。指示装置は、前記指示装置を利用している利用者を検出する検出部と、複数の利用者と、複数の前記指示信号と、の対応付けを記憶する記憶部と、前記記憶部を参照することにより、前記検出部が検出する利用者に対応付けられた前記指示信号を特定する特定部と、前記特定部が特定した前記指示信号を出力する出力部と、を備える。指示装置は、自装置を利用している利用者を検出し、当該利用者に対応する指示信号を出力するため、複数の利用者がいても各利用者に対応付けられた指示内容で対象機器を動作させることができる。【選択図】図３
2016076885.tif 000002
【特許請求の範囲】
【請求項１】
指示信号に基づいて動作する対象機器へ前記指示信号を出力する指示装置であって、
前記指示装置を利用している利用者を検出する検出部と、
複数の利用者と、複数の前記指示信号と、の対応付けを記憶する記憶部と、
前記記憶部を参照することにより、前記検出部が検出する利用者に対応付けられた前記指示信号を特定する特定部と、
前記特定部が特定した前記指示信号を出力する出力部と、
を備える指示装置。
【請求項２】
前記検出部は、前記利用者に携行された端末から出力された無線信号を受信する受信手段を備え、
前記利用者に携行された端末から出力された無線信号は、該利用者を識別するための識別情報を含み、
前記検出部は、前記受信手段が受信した前記無線信号に含まれる前記識別情報に基づいて前記利用者を検出する、
請求項１に記載の指示装置。
【請求項３】
前記受信手段は、複数の前記無線信号を受信する場合、受信した各無線信号の強度を求め、
前記検出部は、前記記憶部を参照することによって、各無線信号の強度のうちの最大の強度となる前記無線信号に含まれる前記識別情報に対応付けられた利用者が前記指示装置を利用している利用者であると検出する、
請求項２に記載の指示装置。
【請求項４】
可搬性を有し、
複数の空間のうち、前記指示装置が存在する空間を検出する空間検出部を備え、
前記記憶部は、前記複数の空間と、前記複数の利用者と、前記複数の前記指示信号との対応付けを記憶し、
前記特定部は、前記記憶部を参照することによって、前記検出部が検出する利用者と前記空間検出部が検出する空間とに対応付けられた前記指示信号を特定する、
請求項１〜３のいずれかに記載の指示装置。
【請求項５】
前記出力部は、前記検出部が前記指示装置を利用している複数の利用者を検出すると、該複数の利用者に応じた前記指示信号を出力する、
請求項１〜４のいずれかに記載の指示装置。
【請求項６】
前記検出部が検出する利用者が前記記憶部に記憶されていない場合、音又は光を出力する報知部を備える、
請求項１〜５のいずれかに記載の指示装置。
【請求項７】
前記複数の利用者と、前記複数の前記指示信号と、の対応付けを前記記憶部に記憶させる設定部と、
前記複数の前記指示信号に対する選択の操作入力を受け付ける受付部と、を備え、
前記設定部は、前記受付部が前記選択の操作入力を受け付けたときに、前記検出部が検出する利用者と、前記受付部が受け付けた選択に示す前記指示信号と、を対応付ける、
請求項１〜６のいずれかに記載の指示装置。
【請求項８】
複数の前記空間と、前記複数の前記指示信号と、の対応付けを前記記憶部に記憶させる設定部と、
前記複数の前記指示信号に対する選択の操作入力を受け付ける受付部と、を備え、
前記設定部は、前記受付部が前記選択の操作入力を受け付けたときに、前記空間検出部が検出する空間と、前記受付部が受け付けた選択に示す前記指示信号と、を対応付ける、
請求項４に記載の指示装置。
【請求項９】
指示信号に基づいて動作する複数の対象機器と、マスター機器と、指示装置と、を備えた指示システムであって、
前記指示装置を利用している利用者を検出する検出部と、
複数の利用者と、複数の前記指示信号と、の対応付けを記憶する記憶部と、
前記記憶部を参照することによって、前記検出部が検出する利用者に対応付けられた前記指示信号を特定する特定部と、
前記特定部が特定した指示信号を出力する出力部と、
を備え、
前記マスター機器と、前記指示装置とは、互いに通信する通信部をそれぞれ備え、
前記マスター機器は、前記検出部、前記記憶部、前記特定部、及び前記出力部のうち少なくとも１つの構成を備える、
指示システム。
【請求項１０】
前記マスター機器は、前記複数の対象機器のうちの１台の前記対象機器である、
請求項９に記載の指示システム。
【発明の詳細な説明】
【技術分野】
【０００１】
本発明は、対象機器に指示信号を出力することにより、対象機器を動作させる指示装置に関する。
【背景技術】
【０００２】
従来より、電気機器（対象機器）を動作させるために、対象機器にリモコン信号（指示信号）を出力するリモコン装置（指示装置）が用いられてきた。指示装置は、利用者からの指示内容（例えば対象機器を電源ＯＮにする指示）に対応する指示信号を出力する。
【０００３】
指示内容の種類は、対象機器の機能が多くなるにつれて多くなる。そこで、特許文献１に記載の指示装置は、指示内容を示す表示内容を切り替えることにより、複数の指示内容を表示する。利用者は、当該指示装置の表示を切り替えて、複数の指示内容の中から所望の指示内容を選択する。
【先行技術文献】
【特許文献】
【０００４】
【特許文献１】特開平１１−２８２５２８号公報
【発明の概要】
【発明が解決しようとする課題】
【０００５】
しかしながら、指示内容は、利用者によって異なる場合がある。例えば、特許文献１に記載の指示装置において、第１の利用者によって選択された第１の指示内容が表示されている場合、第２の利用者は、表示内容を切り替える操作を行わなければ、第１の指示内容と異なる第２の指示内容を選択することができない。従って、特許文献１に記載の指示装置は、複数の利用者がいる場合、煩雑な操作を必要とすることがある。
【０００６】
そこで、本発明の目的は、煩雑な操作の入力が不要で、複数の利用者の各利用者に応じた指示内容で対象機器を動作させる指示装置、及び指示システムを提供することにある。
【課題を解決するための手段】
【０００７】
本発明は、指示信号に基づいて動作する対象機器へ前記指示信号を出力する指示装置であって、前記指示装置を利用している利用者を検出する検出部と、複数の利用者と、複数の前記指示信号と、の対応付けを記憶する記憶部と、前記記憶部を参照することにより、前記検出部が検出する利用者に対応付けられた前記指示信号を特定する特定部と、前記特定部が特定した前記指示信号を出力する出力部と、を備える。
【０００８】
指示装置は、無線で指示信号を出力するもの（例えばリモコン装置）であってもよいし、有線で指示信号を出力するもの（例えば照明器具のＯＮ又はＯＦＦを切り替えるスイッチ）であってもよい。
【０００９】
本発明の指示装置は、自装置を利用している利用者を検出し、当該利用者に対応する指示信号を出力するため、複数の利用者がいても各利用者に対応付けられた指示内容で対象機器を動作させることができる。
【００１０】
なお、指示装置は、操作入力を受け付ける受付部をさらに備え、受付部が操作入力を受け付けたときに出力部から指示信号を出力する態様であっても構わない。
【００１１】
具体的には、前記検出部は、前記利用者に携行された端末から出力された無線信号を受信する受信手段を備え、前記利用者に携行された端末から出力された無線信号は、該利用者を識別するための識別情報を含み、前記検出部は、前記受信手段が受信した前記無線信号に含まれる前記識別情報に基づいて前記利用者を検出する。
【００１２】
例えば、受信手段は、利用者が携行する情報処理装置（スマートフォン、及び時計型コンピュータ等）から出力されたＢｌｕｅｔｏｏｔｈ（登録商標）規格に適合する無線信号を受信する。当該無線信号は、情報処理装置の機器ＩＤを含む。この機器ＩＤと利用者とが予め記憶部等において対応付けられていれば、検出部は機器ＩＤに対応付けられた利用者が自装置を利用している利用者として検出することができる。ただし、利用者を識別するための識別情報としては、機器ＩＤに限らず、利用者ＩＤであってもよい。
【００１３】
また、前記受信手段は、複数の前記無線信号を受信する場合、受信した各無線信号の強度を求め、前記検出部は、前記記憶部を参照することによって、各無線信号の強度のうちの最大の強度となる前記無線信号に含まれる前記識別情報に対応付けられた利用者が前記指示装置を利用している利用者であると検出してもよい。
【００１４】
無線信号の受信強度は、利用者に携行される端末と指示装置との距離が短くなると、大きくなる。従って、この態様では、指示装置は、複数の無線信号を受信しても、自装置に最も近い端末に絞り込むため、自装置に最も近い利用者のみを検出することができる。
【００１５】
また、指示装置は、可搬性を有し、複数の空間のうち、前記指示装置が存在する空間を検出する空間検出部を備え、前記記憶部は、前記複数の空間と、前記複数の利用者と、前記複数の前記指示信号との対応付けを記憶し、前記特定部は、前記記憶部を参照することによって、前記検出部が検出する利用者と前記空間検出部が検出する空間とに対応付けられた前記指示信号を特定してもよい。
【００１６】
この態様では、利用者は、指示装置を携行して使用する。空間と指示信号との対応付けは、空間に配置された対象機器に送信される指示信号を示す。これにより、指示装置は、例えば当該指示装置を携行する利用者が入室した部屋にも応じて指示信号を出力するため、利用者に応じた指示内容で、当該部屋に配置された対象機器を動作させることができる。
【００１７】
また、指示装置は、前記複数の利用者と、前記複数の前記指示信号と、の対応付けを前記記憶部に記憶させる設定部と、前記複数の前記指示信号に対する選択の操作入力を受け付ける受付部と、を備え、前記設定部は、前記受付部が前記選択の操作入力を受け付けたときに、前記検出部が検出する利用者と、前記受付部が受け付けた選択に示す前記指示信号と、を対応付けてもよい。
【００１８】
この態様では、指示装置は、検出済の利用者を対応付けの対象とするため、指示信号に対応付けるべき利用者を選択する操作を省略させることができる。
【００１９】
無論、指示装置は、空間検出部を備える場合、検出済みの空間を対応付けの対象とし、指示信号に対応付けるべき空間を選択する操作を省略させてもよい。
【００２０】
また、前記出力部は、前記検出部が前記指示装置を利用している複数の利用者を検出すると、該複数の利用者に応じた前記指示信号を出力してもよい。
【００２１】
この態様では、指示装置は、利用者のグループに応じた指示内容で対象機器を動作させることができる。
【００２２】
また、前記検出部が検出する利用者が前記記憶部に記憶されていない場合、音又は光を出力する報知部を備えてもよい。
【００２３】
例えば、報知部は、記憶部に記憶されていない者が検出されると、悪意のある者が指示装置を使用する虞がある旨を音で出力する。従って、この態様では、指示装置は、悪意のある者による使用の虞を周囲に報知することで、セキュリティを確保することができる。
【００２４】
また、本発明は指示装置に限らず、指示信号に基づいて動作する複数の対象機器と、マスター機器と、指示装置と、を備えた指示システムであってもよい。
【００２５】
この場合、前記マスター機器と、前記指示装置とは、互いに通信する通信部をそれぞれ備え、前記マスター機器は、前記検出部、前記記憶部、前記特定部、及び前記出力部のうち少なくとも１つの構成を備える。
【００２６】
また、前記マスター機器は、前記複数の対象機器のうちの１台の前記対象機器であってもよい。
【発明の効果】
【００２７】
本発明の指示装置及び指示システムは、複数の利用者がいても各利用者に対応付けられた指示内容で対象機器を動作させることができる。
【図面の簡単な説明】
【００２８】
【図１】実施形態１に係る指示システムの概要を説明するための図である。
【図２】（Ａ）は、指示装置の構成の一部を示すブロック図であり、（Ｂ）は、携帯端末の構成の一部を示すブロック図であり、（Ｃ）は、コンテンツ再生装置（対象機器）の構成の一部を示すブロック図である。
【図３】指示装置が自装置を利用している利用者を検出する例を示すための平面模式図である。
【図４】記憶部の記憶内容の例を示す図である。
【図５】（Ａ）は、実施形態２に係る指示システムの指示装置の構成の一部を示すブロック図であり、（Ｂ）は、指示装置の表示例を示す図である。
【図６】（Ａ）は、実施形態２に係る指示システムの指示装置の変形例に係る指示装置の構成の一部を示すブロック図であり、（Ｂ）は、指示装置の表示例を示す図である。
【図７】実施形態３に係る指示システムの概念を説明するための、指示システムの平面模式図である。
【図８】（Ａ）は、指示装置の構成の一部を示すブロック図であり、（Ｂ）は、記憶部の記憶内容の例を示す図である。
【図９】実施形態４に係る指示システムの構成の一部を示すブロック図である。
【発明を実施するための形態】
【００２９】
実施形態１に係る指示システム１００について、図１、図２（Ａ）、図２（Ｂ）、及び図２（Ｃ）を用いて説明する。図１は、指示システム１００の概要を説明するための図である。図２（Ａ）は、指示装置１０の構成の一部を示すブロック図であり、図２（Ｂ）は、携帯端末２０の構成の一部を示すブロック図であり、図２（Ｃ）は、コンテンツ再生装置９００（対象機器）の構成の一部を示すブロック図である。
【００３０】
図１に示すように、指示システム１００は、指示装置１０と、コンテンツ再生装置９００と、携帯端末２０と、携帯端末３０と、携帯端末４０と、を備えている。コンテンツ再生装置９００は、本発明の対象機器に相当する。
【００３１】
指示システム１００では、利用者８２０は、携帯端末２０を携行し、利用者８３０は、携帯端末３０を携行し、利用者８４０は、携帯端末４０を携行する。指示装置１０は、利用者８２０〜８４０のうち自装置を利用している利用者を検出し、自装置を利用している利用者に応じた指示信号を無線で出力する。すると、コンテンツ再生装置９００は、指示信号に基づいて動作する。すなわち、指示装置１０は、自装置を利用している利用者に応じた指示内容でコンテンツ再生装置９００を動作させる。ただし、図１は一例を示し、利用者は３人に限らない。
【００３２】
具体的には、図２（Ａ）に示すように、指示装置１０は、制御部１１と、Ｂｌｕｅｔｏｏｔｈ通信部１４と、記憶部１５と、ボタン１６と、ＬＥＤ発光部１７と、を備えている。これら機能部は、共通のＢＵＳに接続されている。
【００３３】
制御部１１は、指示装置１０の各機能部を統括的に制御する。ＬＥＤ発光部１７は、発光することで赤外線を出力するＬＥＤを備えている。ＬＥＤ発光部１７は、制御部１１の制御に従って、送信すべきリモコン信号に応じたパターンで当該ＬＥＤを点滅させる。送信すべきリモコン信号は、記憶部１５に記憶されている。
【００３４】
Ｂｌｕｅｔｏｏｔｈ通信部１４は、制御部１１の制御に従って、Ｂｌｕｅｔｏｏｔｈ（登録商標）規格に応じた無線信号を送受信することで、各種情報の送受信を行う。
【００３５】
ボタン１６は、押下されると、押下されたことを示す信号を制御部１１に出力する。ただし、ボタン１６は、１つに限らず、複数備えられてもよい。例えば、ボタン１６は、オンボタンと、オフボタンと、ボリュームアップボタンと、ボリュームダウンボタンと、からなる態様であっても構わない。
【００３６】
制御部１１は、各機能部を制御することにより、検出部１２と、特定部１３と、を実現している。検出部１２は、指示装置１０を利用している利用者を検出する。特定部１３は、検出部１２が検出した利用者に応じたリモコン信号を特定する。検出部１２が特定したリモコン信号は、制御部１１がＬＥＤ発光部１７を制御することによって、出力される。検出部１２及び特定部１３の詳細な動作は後述する。
【００３７】
図２（Ｂ）に示すように、携帯端末２０は、Ｂｌｕｅｔｏｏｔｈ通信部２１を備えている。Ｂｌｕｅｔｏｏｔｈ通信部２１は、Ｂｌｕｅｔｏｏｔｈ（登録商標）  Ｌｏｗ  Ｅｎｅｒｇｙ規格に応じたビーコンを所定時間毎（例えば１秒毎）に携帯端末２０の周囲に出力する。このビーコンは、携帯端末２０の識別情報を含んでいる。例えば、Ｂｌｕｅｔｏｏｔｈ通信部２１が出力するビーコンは、識別情報として携帯端末２０の機器ＩＤを含んでいる。
【００３８】
図示は省略するが、携帯端末３０及び携帯端末４０は、携帯端末２０と同様に、それぞれＢｌｕｅｔｏｏｔｈ通信部２１を備えている。すなわち、携帯端末３０及び携帯端末４０は、それぞれ自装置の機器ＩＤを含むビーコンを自装置の周囲に出力する。
【００３９】
携帯端末２０〜４０は、それぞれＢｌｕｅｔｏｏｔｈ通信部２１を備えればよく、それぞれ表示器及び入力インターフェース、等の構成を備えてもよい。例えば、携帯端末２０〜４０は、携行可能な情報処理装置（例えばスマートフォン、及び眼鏡型若しくは時計型情報処理装置）であってもよい。
【００４０】
図２（Ｃ）に示すように、コンテンツ再生装置９００は、制御部９０１と、コンテンツ記憶部９０２と、スピーカ９０３と、ＬＥＤ受光部９０４と、を備えている。制御部９０１と、コンテンツ記憶部９０２と、スピーカ９０３と、ＬＥＤ受光部９０４とは、共通のＢＵＳに接続されている。制御部９０１は、コンテンツ再生装置９００の各機能部を統括的に制御する。
【００４１】
ＬＥＤ受光部９０４は、受光した赤外線に応じた電気的信号を出力する受光素子を備えている。当該受光素子は、指示装置１０から出力されたリモコン信号に応じた赤外線を受光すると、電気的信号を当該リモコン信号として、制御部９０１へ出力する。制御部９０１は、入力されたリモコン信号に基づいて、各機能部を制御する。例えば、制御部９０１は、所定のリモコン信号が入力されると、当該リモコン信号に対応するコンテンツをコンテンツ記憶部９０２から読み出して、当該コンテンツの音をスピーカ９０３に放音させる。
【００４２】
次に、図３と図４とを用いて、図２に示す指示装置１０の制御部１１が実現する検出部１２及び特定部１３の動作について説明する。図３は、指示装置１０が自装置を利用している利用者を検出する例を示すための平面模式図である。図４は、記憶部１５の記憶内容の例を示す図である。
【００４３】
検出部１２は、Ｂｌｕｅｔｏｏｔｈ通信部１４が受信する携帯端末２０〜４０のいずれかからのビーコンに含まれる機器ＩＤで記憶部１５を参照することによって、当該機器ＩＤに対応付けられた利用者が自装置を利用している利用者であると検出する。検出部１２は、Ｂｌｕｅｔｏｏｔｈ通信部１４が複数のビーコンを受信する場合、最大の受信強度となるビーコンに含まれる機器ＩＤのみで記憶部１５を参照することによって、１人の利用者を検出する。
【００４４】
特定部１３は、検出部１２が検出した利用者で記憶部１５を参照することによって、当該利用者に対応付けられたリモコン信号を特定する。
【００４５】
図３に示す例では、携帯端末２０は、自装置の周囲にビーコン２０Ｂを出力している。携帯端末３０は、自装置の周囲にビーコン３０Ｂを出力している。携帯端末４０は、自装置の周囲にビーコン４０Ｂを出力している。ビーコン２０Ｂは、携帯端末２０の機器ＩＤ２０を含んでいる。ビーコン３０Ｂは、携帯端末３０の機器ＩＤ３０を含んでいる。ビーコン４０Ｂは、携帯端末４０の機器ＩＤ４０を含んでいる。ただし、図３は、各ビーコンの到達距離を実際より短く図示している。実際は、いずれのビーコンも指示装置１０まで到達している。
【００４６】
図３に示す例では、指示装置１０のＢｌｕｅｔｏｏｔｈ通信部１４は、所定時間毎（例えば１秒毎）に、ビーコン２０Ｂと、ビーコン３０Ｂと、ビーコン４０Ｂと、を受信する。これにより、指示装置１０の検出部１２は、携帯端末２０の機器ＩＤ２０（識別情報）と、携帯端末３０の機器ＩＤ３０と、携帯端末４０の機器ＩＤ４０と、を取得する。
【００４７】
図３に示す例では、利用者８３０は、利用者８２０及び利用者８４０よりも指示装置１０に近い。従って、指示装置１０と携帯端末３０との距離ｄ３０は、指示装置１０と携帯端末２０との距離ｄ２０、及び指示装置１０と携帯端末４０との距離ｄ４０より短い。これにより、指示装置１０におけるビーコン３０Ｂの強度はビーコン２０Ｂの強度及びビーコン４０Ｂの強度より大きくなっている。検出部１２は、最大の強度のビーコン３０Ｂに含まれる識別情報として機器ＩＤ３０を用いて記憶部１５を参照する。
【００４８】
図４に示すように、記憶部１５は、機器ＩＤと、利用者名と、リモコン信号と、の対応付けの情報を記憶している。リモコン信号は、コードと名称とからなる。リモコン信号の名称は、リモコン信号のコードに対応するものであり、コンテンツ再生装置９００を動作させる指示内容を示す。ただし、記憶部１５がリモコン信号の名称を記憶することは本実施形態において必須ではない。
【００４９】
機器ＩＤと、利用者名との対応付けの情報は、利用者が携行する携帯端末の機器ＩＤを示している。利用者名とリモコン信号のコードとの対応付けの情報は、利用者の所望の指示内容であって、コンテンツ再生装置９００を動作させる指示内容を示している。ただし、利用者とリモコン信号との対応付けの情報は、機器ＩＤと利用者名との対応付けの情報と分離されて、記憶されてもよい。
【００５０】
図３に示す例では、検出部１２は、最大の強度となるビーコン３０Ｂに含まれる機器ＩＤ３０で記憶部１５を参照することにより、自装置を利用している利用者が利用者８３０であると検出する。そして、特定部１３は、記憶部１５を参照し、利用者８３０に対応するリモコン信号（コードが１０１１０００１でかつ名称がコンテンツ番号２再生）を特定する。指示装置１０は、ボタン１６が押下されると特定したリモコン信号を出力し、コンテンツ再生装置９００は、当該リモコン信号を受信し、コンテンツ番号２に対応するコンテンツの音をスピーカ９０３から放音する。
【００５１】
同様に、利用者８２０が指示装置１０に近づいてボタン１６を押下すると、指示装置１０は、予め最大の強度のビーコン２０Ｂに含まれる機器ＩＤ２０から、自装置を利用している利用者が利用者８２０であると検出しており、利用者８２０に対応付けられたリモコン信号を出力することで、コンテンツ再生装置９００にコンテンツ番号１のコンテンツの音を放音させる。
【００５２】
ただし、記憶部１５に記憶されるリモコン信号は、再生すべきコンテンツ番号に対応したものだけでなく、連続して再生すべきコンテンツ番号のリストを示すものでもよい。
【００５３】
以上のように、指示システム１００では、指示装置１０は、自装置を利用している利用者を検出し、ボタン１６が押下されると、検出した利用者に対応するリモコン信号を出力する。従って、本実施形態に係る指示システム１００では、指示装置１０は、複数の利用者が存在しても、一回の操作入力のみで自装置を利用している利用者に応じた指示内容でコンテンツ再生装置９００を動作させることができる。
【００５４】
ただし、リモコン信号の出力タイミングは、ボタン１６の押下時に限らない。例えば、指示装置１０は、利用者を検出しただけで、ボタン１６の押下の検知無しに該利用者に対応付けられたリモコン信号を出力してもよい。
【００５５】
なお、リモコン信号のキャリアは赤外線に限らず、Ｂｌｕｅｔｏｏｔｈ（登録商標）に適合する電波であってもよいし、Ｗｉ−Ｆｉ（登録商標）に適合する電波であっても構わない。リモコン信号のキャリアがＢｌｕｅｔｏｏｔｈ（登録商標）またはＷｉ−Ｆｉ（登録商標）に適合する電波の場合、指示装置１０は、各対象機器のアドレスを記憶し、当該アドレスを指定してリモコン信号を出力する。リモコン信号のキャリアがＢｌｕｅｔｏｏｔｈ（登録商標）に適合する電波の場合、１つの構成（Ｂｌｕｅｔｏｏｔｈ通信部１４）のみで、利用者の検出と、リモコン信号の出力とが実現可能である。
【００５６】
また、本実施形態において、指示装置１０が無線で指示信号を対象機器へ出力することは必須ではない。例えば、指示装置１０は、有線（例えばＵＳＢ（Ｕｎｉｖｅｒｓａｌ  Ｓｅｒｉａｌ  Ｂｕｓ）ケーブル）又は有線ＬＡＮを介して指示信号をコンテンツ再生装置９００へ出力してもよい。例えば、指示装置１０は、有線を介して自装置が存在する部屋の照明をＯＮ又はＯＦＦする照明スイッチであってもよい。
【００５７】
また、自装置を利用している利用者を検出する検出タイミングは、所定時間毎（例えば１秒毎）のタイミングに限らない。利用者の検出タイミングは、ボタン１６が押下されたタイミングあっても構わない。
【００５８】
また、上述の例では、携帯端末２０〜４０が出力するビーコンには、携帯端末２０〜４０の機器ＩＤが含まれていたが、機器ＩＤに代えて利用者ＩＤが含まれる態様であっても構わない。
【００５９】
また、指示装置１０が受信する無線信号は、利用者を識別するための識別情報を含めばよく、Ｂｌｕｅｔｏｏｔｈ  Ｌｏｗ  Ｅｎｅｒｇｙ規格に適合するビーコンに限らない。例えば、指示装置１０は、ＲＦＩＤ（Ｒａｄｉｏ  Ｆｒｅｑｕｅｎｃｙ  Ｉｄｅｎｔｉｆｉｃａｔｉｏｎ）規格又はＮＦＣ（Ｎｅａｒ  Ｆｉｅｌｄ  Ｃｏｍｍｕｎｉｃａｔｉｏｎ）規格に適合し、利用者を識別するための識別情報を含む無線信号を受信することで、自装置を利用している利用者を検出してもよい。さらに、当該識別情報を含む無線信号の媒体としては、電波に限らず、光又は音であっても構わない。
【００６０】
さらに、指示装置１０は、無線信号に限らず、有線信号で取得した識別情報に基づいて、自装置を利用している利用者を検出してもよい。例えば、指示装置１０は、携帯端末２０〜４０が載置可能なクレードルを備える。指示装置１０は、携帯端末２０〜４０のうちのいずれかの携帯端末がクレードルに載置されると、当該クレードルから有線でクレードルに載置された携帯端末から識別情報を取得する。
【００６１】
また、本実施形態では、指示装置１０は、利用者が携行する端末が出力する無線信号に基づいて、自装置を利用している利用者を検出したが、利用者の識別情報（例えば利用者ＩＤ）が直接的に利用者から入力されることで、自装置を利用している利用者を検出してもよい。利用者の識別情報としては、文字情報及び生体情報（利用者の顔画像等）を用いることができる。
【００６２】
また、本実施形態では、対象機器が１台のコンテンツ再生装置９００のみであったが、指示システム１００は、リモコン信号に基づいて動作する対象機器を複数備えてもよい。指示システム１００が複数の対象機器を備える場合、指示装置１０は、利用者に対応付けられた対象機器に対して、利用者の所望の指示内容で動作させることができる。
【００６３】
また、本実施形態では、検出部１２は、１人の利用者のみを検出していたが、複数の利用者を検出してもよい。例えば、検出部１２は、所定値（ｄＢ）以上の受信強度となる各ビーコンに含まれる各機器ＩＤに対応付けられた各利用者を検出する。これにより、例えば、指示装置１０は、利用者のグループ（家族）に応じた指示内容（家族による鑑賞用のコンテンツの再生）でコンテンツ再生機器を動作させることができる。
【００６４】
また、指示装置１０は、ビーコンに含まれる機器ＩＤが記憶部１５に記憶されていない場合、音又は光で報知する報知部を備えてもよい。例えば、報知部は、記憶部１５に記憶されていない機器ＩＤを検出部１２が取得すると、悪意のある者が指示装置１０を使用する虞がある旨を音で出力する。これにより、指示装置１０は、悪意のある者による使用の虞を周囲に報知することで、セキュリティを確保することができる。
【００６５】
また、指示装置１０は、ボタン１６のみで利用者からの操作入力を受け付けるだけでなく、以下のようにＧＵＩ（Ｇｒａｐｈｉｃａｌ  Ｕｓｅｒ  Ｉｎｔｅｒｆａｃｅ）で操作入力を受け付けてもよい。
【００６６】
図５（Ａ）は、実施形態２に係る指示システム１００Ａの指示装置１０Ａの構成の一部を示すブロック図であり、図５（Ｂ）は、指示装置１０Ａの表示例を示す図である。指示システム１００Ａは、指示装置１０ＡがＧＵＩを実現する点において指示システム１００と相違する。指示システム１００と重複する構成の説明は省略する。
【００６７】
図５（Ａ）に示すように、指示装置１０Ａは、タッチディスプレイ１８を備えている。タッチディスプレイ１８は、利用者からの操作入力の受付と、画像の表示とを実現するものである。
【００６８】
タッチディスプレイ１８は、タッチパネルと、液晶ディスプレイとが積層されてなる。指示装置１０Ａの制御部１１は、タッチパネルで受付けられた利用者からの操作入力に基づいて、液晶ディスプレイの表示内容を変更する。これにより、指示装置１０Ａは、ＧＵＩを実現する。
【００６９】
例えば、図５（Ｂ）に示すように、利用者８２０が指示装置１０に近づくと、指示装置１０Ａは、タッチディスプレイ１８の表示領域のうち、利用者８２０に指示内容を選択させる旨を領域６０１に表示し、利用者８２０が現在利用者として検出されている旨を領域６０２に表示し、検出済みの利用者８２０に対応する指示内容を領域６０３に表示する。
【００７０】
なお、指示装置１０Ａは、予め利用者を検出するのではなく、利用者検出の操作入力をタッチディスプレイ１８で受け付けたときに（例えば利用者検出ボタンへのタッチ操作を受け付けたとき）、利用者を検出し、領域６０２に利用者名を表示する態様であっても構わない。
【００７１】
指示装置１０Ａは、利用者８２０が領域６０３をタッチすると、利用者８２０に対応するリモコン信号を記憶部１５から読み出して、当該リモコン信号を出力する。これにより、利用者８２０は、コンテンツ再生装置９００に対する指示内容を視認しつつ、指示装置１０Ａに対して指示の操作入力を行うことができる。ただし、領域６０３に指示内容を表示することは必須ではなく、領域６０３に単に信号を出力する旨の表示がなされるだけであってもよい。
【００７２】
また、指示装置１０Ａは、ＧＵＩを実現するため、以下のように、記憶部１５の記憶情報を自装置で変更することができる。
【００７３】
図６（Ａ）は、指示装置１０Ａの変形例に係る指示装置１０Ｂの構成の一部を示すブロック図であり、図６（Ｂ）は、指示装置１０Ｂの表示例を示す図である。
【００７４】
指示装置１０Ｂは、制御部１１が設定部１９の機能を実現する点において指示装置１０Ａと相違する。
【００７５】
制御部１１は、タッチディスプレイ１８で受付けた設定操作の入力に基づいて、機器ＩＤと利用者名とリモコン信号との対応付けの情報を記憶部１５に記憶させる。これにより、利用者とリモコン信号との対応付けを設定する設定部１９は実現される。
【００７６】
例えば、図６（Ｂ）に示すように、利用者名とリモコン信号との対応付けの情報を利用者８２０が変更する操作を行う場合、指示装置１０Ａは、タッチディスプレイ１８の表示領域のうち、利用者８２０に指示内容を選択させる旨を領域６１１に表示し、利用者８２０が現在の利用者として検出されている旨を領域６１２に表示し、利用者８２０に選択させる指示内容の候補一覧を領域６１３に表示する。
【００７７】
利用者８２０が領域６１３の候補一覧のうちの１つの指示内容をタッチすると、設定部１９は、検出済みの利用者８２０と、タッチ操作によって選択された指示内容に対応するリモコン信号と、を対応付けて記憶部１５に記憶させる。
【００７８】
指示装置１０Ｂは、選択された指示内容に対応するリモコン信号に、検出済みの利用者を対応付けるため、対応付けるべき利用者を選択する操作を省略させることができる。
【００７９】
なお、指示装置１０ＢがＧＵＩを実現することは本実施形態に必須ではない。例えば、指示装置は、タッチディスプレイ１８を備えず、設定ボタンと、再生すべきコンテンツ番号を示す番号ボタンと、を備える。そして、指示装置は、設定ボタンが押下されたときに利用者を検出し、検出中の利用者と、押下された番号ボタンに対応するリモコン信号と、を対応付けて記憶する。
【００８０】
次に、実施形態３に係る指示システム１００Ｃについて、図７及び図８を用いて説明する。図７は、指示システム１００Ｃの概念を説明するための、指示システム１００Ｃの平面模式図である。図８（Ａ）は、指示システム１００Ｃの指示装置１０Ｃの構成の一部を示すブロック図であり、図８（Ｂ）は、記憶部１５の記憶内容の例を示す図である。
【００８１】
指示システム１００Ｃは、指示装置１０Ｃが、自装置を利用している利用者と、自装置が存在する部屋と、に応じたリモコン信号を出力することにより、自装置が存在する部屋に配置された対象機器を、利用者に応じた指示内容で動作させる点において、指示システム１００と相違する。指示システム１００と重複する構成の説明は省略する。
【００８２】
図７に示すように、指示システム１００Ｃは、指示装置１０Ｃと、携帯端末２０〜４０と、コンテンツ再生装置９００Ｃと、テレビ９１０Ｃと、スピーカ装置９２０Ｃと、を備えている。コンテンツ再生装置９００Ｃ、テレビ９１０Ｃ、及びスピーカ装置９２０Ｃは、それぞれリモコン信号に基づいて動作する対象機器に相当する。
【００８３】
図７に示す例では、コンテンツ再生装置９００Ｃは、部屋７００に配置され、テレビ９１０Ｃは、部屋７１０に配置され、スピーカ装置９２０Ｃは、部屋７２０に配置されている。
【００８４】
コンテンツ再生装置９００Ｃ、テレビ９１０Ｃ、及びスピーカ装置９２０Ｃは、携帯端末２０〜４０と同様に、それぞれＢｌｕｅｔｏｏｔｈ通信部２１を備えている。コンテンツ再生装置９００Ｃ、テレビ９１０Ｃ、及びスピーカ装置９２０Ｃは、それぞれＢｌｕｅｔｏｏｔｈ通信部２１を用いることにより、自装置の周囲にＢｌｕｅｔｏｏｔｈ  Ｌｏｗ  Ｅｎｅｒｇｙ規格に適合するビーコンを出力する。コンテンツ再生装置９００Ｃが出力するビーコン９００Ｂは、コンテンツ再生装置９００Ｃが配置された部屋７００の識別情報である部屋ＩＤ７００を含んでいる。テレビ９１０Ｃが出力するビーコン９１０Ｂは、テレビ９１０Ｃが配置された部屋７１０の識別情報である部屋ＩＤ７１０を含んでいる。スピーカ装置９２０Ｃが出力するビーコン９２０Ｂは、スピーカ装置９２０Ｃが配置された部屋７２０の識別情報である部屋ＩＤ７２０を含んでいる。
【００８５】
指示装置１０Ｃは、可搬性を有する点、及び、制御部１１Ｃが空間検出部１２Ｃの機能を実現する点において、実施形態１に係る指示装置１０と相違する。
【００８６】
指示装置１０Ｃは、例えばスマートフォンであり、利用者８２０〜８４０によって携行される。利用者８２０〜８４０は、指示装置１０Ｃを携行したまま部屋７００〜７２０のうちのいずれかの部屋に入室し、当該指示装置１０Ｃを操作する。
【００８７】
空間検出部１２Ｃは、対象機器が出力するＢｌｕｅｔｏｏｔｈ（登録商標）  Ｌｏｗ  Ｅｎｅｒｇｙ規格に適合するビーコンをＢｌｕｅｔｏｏｔｈ通信部１４が受信すると、当該ビーコンに含まれる部屋を示す部屋ＩＤで記憶部１５を参照することによって、指示装置１０Ｃが存在する部屋を検出する。
【００８８】
図８（Ｂ）に示すように、記憶部１５は、機器ＩＤと、利用者名と、部屋ＩＤと、部屋名と、対象機器ＩＤと、対象機器名と、リモコン信号とを対応付けて記憶している。部屋名と対象機器との対応付けは、部屋に配置された対象機器を示す。すなわち、リモコン信号は、利用者と部屋とに対応付けられた状態で記憶されている。ただし、利用者名、部屋名、対象機器名、及びリモコン信号の名称は、説明のための情報であり、記憶部１５は、これら情報を記憶しなくてもよい。
【００８９】
例えば、利用者８２０が指示装置１０Ｃを携行して部屋７２０に入室すると、指示装置１０Ｃは、利用者８２０の形態端末２０を示す機器ＩＤ２０と、指示装置１０Ｃが存在する空間を示す部屋ＩＤ７２０とを取得する。指示装置１０Ｃは、取得した機器ＩＤ２０及び部屋ＩＤ７２０で記憶部１５を参照することにより、利用者が利用者８２０であると検出し、自装置が存在する部屋が部屋７２０であると検出する。そして、指示装置１０Ｃは、記憶部１５を参照することにより、部屋７２０に配置された対象機器がスピーカ装置９２０Ｃであり、送信すべきリモコン信号がスピーカ装置９２０Ｃをミュートにするものであると特定する。
【００９０】
以上のように、指示システム１００Ｃでは、指示装置１０Ｃは、自装置が存在する部屋に配置された対象機器に対して、自装置を利用している利用者に応じた指示内容を出力することができる。
【００９１】
なお、指示装置１０Ｃの設定部１９は、指示装置１０Ｂの設定部１９と同様に、リモコン信号と空間との対応付けの設定において、検出済みの自装置が存在する空間と、選択されたリモコン信号とを対応付けて記憶部１５に記憶させてもよい。これにより、利用者は、リモコン信号に対応付けるべき空間を選択する必要がない。
【００９２】
ただし、指示装置１０Ｃは、隣接する部屋に限らず、隣接しない複数の空間（例えば自宅及びオフィス）のうちのいずれの空間に自装置が存在するかを検出してもよい。また、空間を示す識別情報は、他の規格の無線信号に重畳される態様であってもよい。さらに、指示装置１０Ｃは、ＧＰＳ信号と地図情報とを用いて自装置が存在する空間を検出してもよい。
【００９３】
上述の例では、検出部１２、特定部１３、及びＬＥＤ発光部１７の各機能は、指示装置１０，１０Ａ，１０Ｂ，１０Ｃに備えられていたが、これら各機能は、以下の実施形態４に示すように、対象機器側で実現されてもよい。
【００９４】
図９は、実施形態４に係る指示システム１００Ｄの構成の一部を示すブロック図である。
【００９５】
指示システム１００Ｄは、検出部１２、特定部１３、及びリモコン信号を出力する機能部がコンテンツ再生装置９００Ｄに備えられる点において、指示システム１００と相違する。すなわち、指示システム１００Ｄでは、指示装置１０Ｄへ指示の操作入力がなされると、コンテンツ再生装置９００Ｄはマスター機器として他の対象機器（テレビ９１０及びスピーカ装置９２０）を統括的に制御する。指示システム１００と重複する構成の説明は省略する。
【００９６】
具体的には、指示装置１０Ｄは、制御部１１Ｄと、Ｂｌｕｅｔｏｏｔｈ通信部１４と、ボタン１６と、無線ＬＡＮ通信部１７Ｄと、を備えている。
【００９７】
制御部１１Ｄは、検出部１２及び特定部１３の機能を実現しない点、並びに、無線ＬＡＮ通信部１７Ｄを制御する点において実施形態１に係る制御部１１と相違する。
【００９８】
無線ＬＡＮ通信部１７Ｄは、例えば、無線ＬＡＮ規格に適合する無線信号を送受信する。無線ＬＡＮ通信部１７Ｄが送信する無線信号は、Ｂｌｕｅｔｏｏｔｈ通信部１４が受信するビーコンに含まれる機器ＩＤを含む。
【００９９】
コンテンツ再生装置９００Ｄは、記憶部１５、無線ＬＡＮ通信部９０５、及び無線リモコン送信部９０６を備える点、及び、制御部９０１Ｄが検出部１２及び特定部１３の機能を実現する点、において実施形態１に係るコンテンツ再生装置９００と相違する。
【０１００】
無線ＬＡＮ通信部９０５は、指示装置１０Ｄの無線ＬＡＮ通信部１７Ｄから出力される無線信号を受信する。コンテンツ再生装置９００Ｄの検出部１２は、無線ＬＡＮ通信部９０５が受信した無線信号に含まれる機器ＩＤで記憶部１５を参照することによって、当該機器ＩＤに対応付けられた利用者が指示装置１０Ｄを利用している利用者であると検出する。
【０１０１】
特定部１３は、検出部１２が検出した利用者で記憶部１５を参照することによって、当該利用者に対応付けられたリモコン信号を特定する。無線リモコン送信部９０６は、特定部１３によって特定されたリモコン信号を送信する。
【０１０２】
以上のように、指示システム１００Ｄでは、検出部１２、特定部１３、及びリモコン信号を出力する機能部（無線リモコン送信部９０６）がコンテンツ再生装置９００Ｄにおいて実現される。
【０１０３】
なお、マスター機器であるコンテンツ再生装置９００Ｄは、無線リモコン信号に限らず、赤外線リモコン信号やＢｌｕｅｔｏｏｔｈ（登録商標）規格に適合する電波をキャリアとしたリモコン信号を出力してもよい。
【０１０４】
ただし、検出部１２、特定部１３、及び無線リモコン送信部９０６は、それぞれ対象機器であるコンテンツ再生装置９００Ｄに備えられていたが、リモコン信号に基づいて動作しない管理専用のマスター機器に備えられてもよい。
【符号の説明】
【０１０５】
１０，１０Ａ，１０Ｂ，１０Ｃ，１０Ｄ…指示装置
１１，１１Ｄ…制御部
１２…検出部
１２Ｃ…空間検出部
１３…特定部
１４…Ｂｌｕｅｔｏｏｔｈ通信部
１５…記憶部
１６…ボタン
１７…ＬＥＤ発光部
１７Ｄ…無線ＬＡＮ通信部
１８…タッチディスプレイ
１９…設定部
２０，３０，４０…携帯端末
２１…Ｂｌｕｅｔｏｏｔｈ通信部
１００，１００Ａ，１００Ｂ，１００Ｃ，１００Ｄ…指示システム
９００，９００Ｃ，９００Ｄ…コンテンツ再生装置
９０１，９０１Ｄ…制御部
９０２…コンテンツ記憶部
９０３…スピーカ
９０４…ＬＥＤ受光部
９０５…無線ＬＡＮ通信部
９０６…無線リモコン送信部
９１０，９１０Ｃ…テレビ
９２０，９２０Ｃ…スピーカ装置
【図１】
2016076885.tif 000003
【図２】
2016076885.tif 000004
【図３】
2016076885.tif 000005
【図４】
2016076885.tif 000006
【図５】
2016076885.tif 000007
【図６】
2016076885.tif 000008
【図７】
2016076885.tif 000009
【図８】
2016076885.tif 000010
【図９】
2016076885.tif 000011